(57)【特許請求の範囲】
【請求項１】
容器の口部突端に位置する天面壁と、この天面壁の縁部に一体的につながり容器の口部側壁を全周にわたって取り囲む周壁とからなり、該周壁の内面を容器の口部に嵌合する中栓に着脱自在に連係させて容器を密封状態に保持する中栓付き容器用キャップにおいて、
前記周壁に、容器の口部を取り囲むとともにヒンジを介して反転可能に連結する環状体を設け、
該周壁と環状体との間に、それらを複数箇所にて相互に連結するとともに該環状体からの引き離しによる破断を可能とするブリッジと、凸部を凹部に入れ込み周壁の環状体に対する回動を阻止する回り止めを設けたことを特徴とする中栓付き容器用キャップ。
【請求項２】
前記回り止めは、ヒンジが設けられた対向位置を除く領域に形成されたものである請求項１記載の中栓付き容器用キャップ。
【請求項３】
前記ヒンジは、端部をそれぞれ周壁、環状体に一体連結した狭幅の帯状体からなり、前記周壁及び環状体の少なくとも一方に、該帯状体の幅端に沿って切り込まれ該環状体の反転を誘導するスリットを設けた請求項１又は２記載の中栓付き容器用キャップ。
【請求項４】
前記周壁は、ヒンジが設けられた対向位置に、該周壁を引き起こす指掛け凸部を有する請求項１〜３の何れかに記載の中栓付き容器用キャップ。
【発明の詳細な説明】
【技術分野】
【０００１】
本発明は、中栓付き容器用キャップに関するものであり、とくに、容器の口部に嵌合する中栓を簡単に取り外し容器の構成部材を同材質毎に回収する、いわゆる分別回収の回収率をより一層高めようとするものである。
【背景技術】
【０００２】
醤油やドレッシング等の調味材を入れる容器は、その口部に、プルリングの引き起こしにより閉塞壁部を引きちぎって開封するバージンタイプの中栓（注出ノズルとしての機能を具備している）が装着されており、容器内の内容物を使い切るまでの間はねじ込み式のキャップやアンダーカットタイプのキャップを使用して容器を密封状態に保持するようになっている。
【０００３】
ところで、この種の容器は、容器本体部分、中栓、キャップはそれぞれ異種材にて構成されているのが普通であり、使用済み容器を廃棄するに当たっては、各構成部材を個別に分別して回収することが資源の有効活用を図るうえで重要になるところ、とくに、中栓は、下向きに開放された環状溝部において容器の口部に強固に嵌合しているため簡単に取り外すことができず分別回収を実現するのが難しい状況にあった。
【０００４】
この点に関する先行技術としては、容器体口頸部へ嵌合させる中栓の外筒に適当数の深溝を設け、その溝底部を肉薄の柔軟部ないし破断部とし、中栓の雄ねじ筒外面へ螺合させたキャップ雌ねじ筒下端から外向きフランジ状頂壁を介して垂下する抱持筒を外筒の外面へ嵌着させる一方、外向きフランジ状頂壁に少数の破断容易な連結子を残して切離し溝を周設し溝の各対向面から、締付け方向への雄ねじ筒回動において互いに接する係合突部を設けたノズル兼用中栓付き容器が知られている（例えば、特許文献１参照）が、この中栓付き容器はその構造が比較的複雑であり、高い成形精度でもって効率的に製造するには製造手法について未だ改善の余地が残されていた。
【特許文献１】実開平７−２２５０号公報
【発明の開示】
【発明が解決しようとする課題】
【０００５】
本発明の課題は、容器の廃棄に際してその口部に装着された中栓を比較的容易な動作のもとで取り外すことができる容器用キャップを提案するところにある。
【課題を解決するための手段】
【０００６】
本発明は、容器の口部突端部に位置する天面壁と、この天面壁の縁部に一体的につながり容器の口部側壁を全周にわたって取り囲む周壁とからなり、該周壁の内面を容器の口部に嵌合する中栓に着脱自在に連係させて容器を密封状態に保持する中栓付き容器用キャップにおいて、
前記周壁に、容器の口部を取り囲むとともにヒンジを介して反転可能に連結する環状体を設け、
該周壁と環状体との間に、それらを複数箇所にて相互に連結するとともに該環状体からの引き離しによる破断を可能とするブリッジと、凸部を凹部に入れ込み周壁の環状体に対する回動を阻止する回り止めを設けたことを特徴とする中栓付き容器用キャップである。
【０００７】
上記の構成になる中栓付き容器用キャップにおいて、回り止めは、ヒンジが設けられた対向位置を除く領域に形成するのが望ましい。また、ヒンジは、端部をそれぞれ周壁、環状体に一体連結した狭幅の帯状体からなり、前記周壁及び環状体の少なくとも一方に、該帯状体の幅端に沿って切り込まれ該環状体の反転を誘導するスリットを設けることができる。
【０００８】
さらに、周壁は、ヒンジが設けられた対向位置に、該周壁を引き起こす指掛け凸部を形成するのが好ましい。
【発明の効果】
【０００９】
周壁と環状体とは容易に破断可能なブリッジによって連結されているにすぎないが、これらの相互間には凸部を凹部に入れ込み周壁の環状体に対する回動を阻止する周り止めが設けられているため、キャップの通常の取付け、取り外しにおいて該ブリッジが簡単に破断することはない。また、環状体を周壁から引き離して反転させ、その姿勢を維持したまま周壁を中栓に連係させると該環状体を握持部（プルリング）として機能させることが可能となるため、該環状体をつかんで引き上げるだけの簡単な操作で中栓を取り外すことができる。
【発明を実施するための最良の形態】
【００１０】
以下、図面を参照して本発明をより具体的に説明する。
図１、図２は本発明にしたがう中栓付き容器用キャップの実施の形態を示した外観斜視図であり、図３は図１、２に示したキャップの平面図、図４は図１、２に示したキャップを容器の中栓に取り付けた状態を示した図である。
【００１１】
図における番号１は容器の口部突端に位置する天面壁、２は天面壁１の縁部（外縁部）に一体的につながり容器の口部側壁を全周にわたって取り囲む周壁である。この周壁２の内面には容器の口部に嵌合する中栓に着脱自在に連係するねじ部２ａが設けられている（ねじ部に代えてアンダーカットによる係合としてもよい）。
【００１２】
また、３は周壁２の下端に設けられた環状体、４は端部（上端、下端）をそれぞれ周壁２、環状体３に一体連結した狭幅の帯状体からなるヒンジ、５は周壁２と環状体３をその回りの複数箇所にて接続するブリッジである。このブリッジ５はキャップを中栓から取り外し周壁２及び環状体３を相互に引き離すような力を加えた場合に簡単に破断することができる薄肉片からなっている。
【００１３】
６は周壁２の環状体３に対する回動を阻止する回り止めである。この回り止め６は周壁２の下端外側壁に一体的に設けられた凸部６aと環状体３の上端面に設けられた凹部６ｂ（凸部を二つ設けてその間に凹部を設けたものを例として示してある）にて構成されており、図３に示すようにヒンジ４が設けられた対向位置Ｌを除く領域に設けられている。
【００１４】
さらに、７はヒンジ（帯状体）４の幅端に沿って切り込まれたスリット、８はヒンジ４が設けられた対向位置で周壁の下端部に形成されたブリッジ、そして９はブリッジ８の対応位置で環状体３の上端部に設けられた凹部である。ブリッジ８の下端部は凹部９の底部に一体的に連結されており、凹部９に指を差し入れることにより簡単に破断することができるものであり、該ブリッジ８を破断するとともに環状体３を周壁２から引き離すことにより該環状体３の反転を容易にする。ここに、ブリッジ８は指を引っ掛ける突起に換えることもできるし該ブリッジ８そのものの設置を省略することも可能であり、ブリッジ８の設置を省略した場合には凹部９のみが存在することになる。
【００１５】
上記のスリット７はこの例では環状体３に設けた場合について示してあるが、周壁２に設けるようにしてもよく、このスリット７により環状体３の反転を可能としている。
【００１６】
キャップを中栓から取り外して環状体３を周壁２から切離して反転させた状態を図５に、また、環状体３を反転させたまま中栓にねじ止めした状態を図６にそれぞれ示す。
【００１７】
本発明にしたがうキャップは、容器内の内容物が無くなるまでは通常のキャップと同様の使い方（中栓にねじ止めする）で容器の密閉を行う（図４参照）。
【００１８】
容器内の内容物を使いきり、空の容器を廃棄するに当たっては、指掛け凸部８を利用して環状体３を周壁２から切離すとともに再度、中栓にねじ止めして図６に示すような状態にし、さらに、環状体３に指を掛けて中栓を容器の口部から引き抜けばよく、これにより部材毎の分別回収が行える。
【００１９】
本発明に従うキャップは、合成樹脂を射出成形することにより単一部材として成形できるものであって、安定した品質のもとで効率のよい製造が可能となる。
【００２０】
回り止め６については凸部６ａを周壁２に設け、凹部６ｂを環状体３に設けた場合について示したが、凹部を周壁２に、凸部６ａを環状体３に設けてもよく、この点については限定されない。また、凸部６ａは周壁２の径方向外側へ向けて突出させる他に下向きに突出させてもよく、キャップのサイズや形状に応じて適宜変更し得る。
【産業上の利用可能性】
【００２１】
構造の簡素化を実現するとともに、簡単な操作のもとで中栓を取り外すことが可能な容器用キャップが提供できる。
【図面の簡単な説明】
【００２２】
【図１】本発明にしたがう容器用キャップの外観斜視図である。
【図２】本発明にしたがう容器用キャップの外観斜視図である。
【図３】図１、２に示した容器用キャップの平面図である。
【図４】図１、２に示した容器用キャップを容器の中栓に取り付けた状態を示した図である。
【図５】環状体を周壁から切離して反転させた状態を示した図である。
【図６】環状体を反転させたまま中栓にキャップの周壁を係合させた状態（ねじ止め）を示した図である。
【符号の説明】
【００２３】
１    天面壁
２    周壁
３    環状体
４    ヒンジ
５    ブリッジ
６    回り止め
７    スリット
８    指掛け凸部
【図１】
0005038228.tif 000002
【図２】
0005038228.tif 000003
【図３】
0005038228.tif 000004
【図４】
0005038228.tif 000005
【図５】
0005038228.tif 000006
【図６】
0005038228.tif 000007